(57)【要約】【課題】施工性を向上させることのできる施解錠装置を提供する。【解決手段】施解錠装置１１において、既存の錠箱に対してサムターンからの施解錠操作力及びグリップ３１からのラッチ操作力を入力するグリップサムターンユニット２５と、グリップサムターンユニット２５に取り付けられて電池４７を収容する電池ボックス４９と、グリップサムターンユニット２５に取り付けられ扉を貫通して扉室外面に表出するリーダーユニット４１が一体に固定される駆動ユニットと、駆動ユニットに設けられサムターンのサムターン軸を回転させるモーター、リーダーユニット４１及びモーターに接続される制御盤、この制御盤に接続されモーターを回転させてサムターン軸を回転させる施解錠ボタン７７と、電池ボックス４９と制御盤とを接続する給電用配線と、を設けた。【選択図】  図５
2014037746.tif 000002
【特許請求の範囲】
【請求項１】
扉室内面に取り付けられサムターン及びグリップを備えてシリンダー錠が接続されている既存の錠箱に対して前記サムターンからの施解錠操作力及び前記グリップからのラッチ操作力を入力するグリップサムターンユニットと、
前記グリップサムターンユニットに取り付けられて電池を収容する電池ボックスと、
前記グリップサムターンユニットに取り付けられ扉を貫通して扉室外面に表出するリーダーユニットが一体に固定される駆動ユニットと、
前記駆動ユニットに設けられ前記サムターンのサムターン軸を回転させるモーター、前記リーダーユニット及び前記モーターに接続される制御盤、及び前記制御盤に接続され前記モーターを回転させて前記サムターン軸を回転させる施解錠ボタンと、
前記電池ボックスと前記制御盤とを接続する給電用配線と、
を具備することを特徴とする施解錠装置。
【請求項２】
請求項１記載の施解錠装置であって、
前記サムターン軸に固定される噛合部材と、
前記駆動ユニットから露出されて前記噛合部材と噛合可能となり、前記モーターによって回転される出力歯車と、
を具備することを特徴とする施解錠装置。
【請求項３】
請求項１または２記載の施解錠装置であって、
前記サムターンが、上側サムターンと下側サムターンとの上下で設けられ、
前記モーターが、前記上側サムターンを作動する上側モーターと前記下側サムターンを作動する下側モーターとの上下で設けられ、
前記制御盤によって前記上側モーター及び前記下側モーターの双方が駆動制御されて前記上側サムターン及び下側サムターンが施解錠されることを特徴とする施解錠装置。
【請求項４】
請求項１または２または３記載の施解錠装置であって、
前記扉の設けられた扉枠に前記グリップサムターンユニットと近接して取り付けられる被検知部材と、
前記グリップサムターンユニットに設けられ前記被検知部材を検知することで閉扉を検知する閉扉検知センサと、
を具備することを特徴とする施解錠装置。
【請求項５】
請求項１，２，３，４のいずれか１つに記載の施解錠装置であって、
前記扉室外面に穿設されたリーダーユニット表出穴と前記リーダーユニットとの隙間を塞ぐ表出穴隠しプレートを備え、
前記表出穴隠しプレートは、前記扉室外面に平行なフランジ部と、前記フランジ部に垂直に設けられ前記リーダーユニット表出穴に挿入されて前記リーダーユニットの外周を包囲する塞ぎ枠部と、
を具備することを特徴とする施解錠装置。
【発明の詳細な説明】
【技術分野】
【０００１】
本発明は、非電気錠を電気錠化する際に用いて好適な施解錠装置に関する。
【背景技術】
【０００２】
施解錠装置として、電動モーターにより施解錠を行うようにした電気錠タイプのものが知られている。また、施解錠装置には、錠機構部に連動連結される杆状のグリップの両端を長手方向両端でそれぞれ台座に支持するプッシュプル錠タイプのものがある（特許文献１等参照）。プッシュプル錠は、室内側から扉を開放する際、台座に対しグリップが押し込み方向に可動されることで、扉に内蔵された錠箱のラッチボルトを錠箱内へ後退させ、扉を開放可能にする。一方、室外側に取り付けられるグリップは、扉を開放する際、台座に対しグリップが引かれる方向に可動されることで、ラッチボルトを錠箱内へ後退させ、扉を開放可能にする。これにより、扉の開放方向とラッチボルトの後退操作を一致させ、扉の良好な開放操作性を実現する。
【０００３】
ところで、従来、非電気錠タイプのプッシュプル錠を、電気錠タイプのプッシュプル錠へ変更するには、錠箱がモーターを内蔵した電気錠タイプのものへと交換される。これに伴って一般的には既存室外側グリップユニット及び既存室内側グリップユニットも新規のものへと交換される。また、室外側の自動施解錠を可能とするためのリーダーユニットを扉室外面に取り付けたり、閉扉状態を検知する被検知部材や閉扉検知センサを扉枠や扉に取り付けたりする工事が行われる。さらに、上記リーダーユニット、閉扉検知センサを錠箱内の制御盤や電源部に接続する配線工事が行われていた。
【先行技術文献】
【特許文献】
【０００４】
【特許文献１】特開２０１２−８７４９５号公報
【発明の概要】
【発明が解決しようとする課題】
【０００５】
しかしながら、電気錠タイプへの変更に際し、事実上殆どの構成部材を交換することは、不経済であり、環境保護の観点からも望ましくない。また、新たな錠箱、室内側グリップユニット、室外側グリップユニット、リーダーユニット等を現場工事にて取り付け、さらに、これを現場配線工事にて接続するのには、多大な施工労力が必要となるとともに、時間もかかり、かつ、コストも増大した。特に、錠箱、シリンダー錠、サムターンがそれぞれ２つずつ必要となるプッシュプル錠タイプの施解錠装置ではこれらの不具合が顕著となった。
【０００６】
本発明は上記状況に鑑みてなされたもので、その目的は、組み立てを容易とし、扉への組み付け作業性、施工性を向上させることのできる施解錠装置を提供することにある。
【課題を解決するための手段】
【０００７】
次に、上記の課題を解決するための手段を、実施の形態に対応する図面を参照して説明する。
本発明の請求項１記載の施解錠装置１１は、扉室内面２３に取り付けられサムターン及びグリップ３１を備えてシリンダー錠が接続されている既存の錠箱に対して前記サムターンからの施解錠操作力及び前記グリップ３１からのラッチ操作力を入力するグリップサムターンユニット２５と、
前記グリップサムターンユニット２５に取り付けられて電池４７を収容する電池ボックス４９と、
前記グリップサムターンユニット２５に取り付けられ扉２７を貫通して扉室外面４３に表出するリーダーユニット４１が一体に固定される駆動ユニットと、
前記駆動ユニットに設けられ前記サムターンのサムターン軸５５を回転させるモーター、前記リーダーユニット４１及び前記モーターに接続される制御盤６５、及び前記制御盤６５に接続され前記モーターを回転させて前記サムターン軸５５を回転させる施解錠ボタン７７と、
前記電池ボックス４９と前記制御盤６５とを接続する給電用配線と、
を具備することを特徴とする。
【０００８】
この施解錠装置１１では、非電気錠を電気錠へ交換したい場合、既存室内側グリップユニットが取り外される。扉室内面２３及び扉室外面４３にはリーダーユニット４１を取り付けるためのリーダーユニット表出穴４５を内外に通ずるよう貫通して開ける。扉２７への加工はこれで終了する。扉室内面２３には、リーダーユニット４１が一体となったグリップサムターンユニット２５が取り付けられる。グリップサムターンユニット２５から突出されている施解錠操作力入力用のサムターン軸５５、ラッチ操作力入力用の作動片は、既存室内側グリップユニットと同様に錠箱と接続される。基本的にここまでで電気錠への変更が完了する。錠箱に接続される新規のサムターン軸５５はモーターによって回転可能となっており、モーターはリーダーユニット４１または施解錠ボタン７７から施解錠信号の入力された制御盤６５によって回転が制御される。グリップサムターンユニット２５には電池ボックス４９が設けられ、電池ボックス４９は制御盤６５、リーダーユニット４１、モーターと、予めグリップサムターンユニット２５の内方に配索される給電用配線によって接続が完了されているので、現地での配線工事は一切不要となる。
【０００９】
本発明の請求項２記載の施解錠装置１１は、請求項１記載の施解錠装置１１であって、
前記サムターン軸５５に固定される噛合部材６１と、
前記駆動ユニットから露出されて前記噛合部材６１と噛合可能となり、前記モーターによって回転される出力歯車６３と、
を具備することを特徴とする。
【００１０】
この施解錠装置１１では、非電気錠と同様の構造部分であるサムターン軸５５に噛合部材６１を設け、この噛合部材６１に噛合する出力歯車６３を駆動ユニットに露出させて設けたので、既存錠箱をそのまま使用できる。従って、既存錠箱からモーター内蔵錠箱への交換を不要にして、簡単に電気錠化が可能となる。
【００１１】
本発明の請求項３記載の施解錠装置１１は、請求項１または２記載の施解錠装置１１であって、
前記サムターンが、上側サムターン３３と下側サムターン３５との上下で設けられ、
前記モーターが、前記上側サムターン３３を作動する上側モーター５７と前記下側サムターン３５を作動する下側モーター５９との上下で設けられ、
前記制御盤６５によって前記上側モーター５７及び前記下側モーター５９の双方が駆動制御されて前記上側サムターン３３及び下側サムターン３５が施解錠されることを特徴とする。
【００１２】
この施解錠装置１１では、サムターンが複数の上側サムターン３３や下側サムターン３５となって増えても、グリップサムターンユニット２５に上側モーター５７、下側モーター５９が増設され、これらが給電用配線で予め接続される。これにより、防犯性を高めた複数シリンダー、複数サムターンを備える構造に対しても電気錠化を容易にできる。
【００１３】
本発明の請求項４記載の施解錠装置１１は、請求項１または２または３記載の施解錠装置１１であって、
前記扉２７の設けられた扉枠８３に前記グリップサムターンユニット２５と近接して取り付けられる被検知部材８５と、
前記グリップサムターンユニット２５に設けられ前記被検知部材８５を検知することで閉扉を検知する閉扉検知センサ８７と、
を具備することを特徴とする。
【００１４】
この施解錠装置１１では、閉扉検知センサ８７をグリップサムターンユニット２５に予め内蔵させておくことで、現地での閉扉検知センサ８７の取付工事、配線工事は、被検知部材８５の取り付け工事のみに半減する。
【００１５】
本発明の請求項５記載の施解錠装置１１は、請求項１，２，３，４のいずれか１つに記載の施解錠装置１１であって、
前記扉室外面４３に穿設されたリーダーユニット表出穴４５と前記リーダーユニット４１との隙間を塞ぐ表出穴隠しプレート８９を備え、
前記表出穴隠しプレート８９は、前記扉室外面４３に平行なフランジ部９１と、前記フランジ部９１に垂直に設けられ前記リーダーユニット表出穴４５に挿入されて前記リーダーユニット４１の外周を包囲する塞ぎ枠部９３と、
を具備することを特徴とする。
【００１６】
この施解錠装置１１では、異なる厚みの扉２７に対して、グリップサムターンユニット２５が扉室内面２３に取り付けられると、グリップサムターンユニット２５と一体となったリーダーユニット４１は、扉室外面４３との相対位置が変わる。すなわち、薄い扉２７ではリーダーユニット４１が扉室外面４３から突出して配置し、厚い扉２７ではリーダーユニット４１が扉室外面４３と略同一面となる。扉厚によってこのように位置が変化するリーダーユニット４１であっても、リーダーユニット表出穴４５に取り付けられる表出穴隠しプレート８９に、扉厚方向に延在する塞ぎ枠部９３が設けられていることで、厚みの異なる扉２７に対しも、リーダーユニット表出穴４５に隙間を生じさせない対応が可能となる。
【発明の効果】
【００１７】
本発明に係る請求項１記載の施解錠装置によれば、扉室内面側に各ユニットが集約されて構成され、組み立てを容易とし、また、扉の内部などへの配線を不要としているとともに、扉への加工が少ないので、扉への組み付け作業性、施工性を向上させることができる。
【００１８】
本発明に係る請求項２記載の施解錠装置によれば、従来、錠箱に設けられていたモーターを、錠箱外に容易に設けることができる。すなわち、既存の錠箱の交換を不要として電気錠へと変更できる。
【００１９】
本発明に係る請求項３記載の施解錠装置によれば、上下にシリンダー錠及びサムターンが設けられる防犯性を高めた構成に対しても容易に対応できる。
【００２０】
本発明に係る請求項４記載の施解錠装置によれば、扉への閉扉検知センサの取付工事及び閉扉検知センサと制御盤との配線工事を省略することができる。
【００２１】
本発明に係る請求項５記載の施解錠装置によれば、塞ぎ枠部の範囲でリーダーユニットとの相対位置が可変可能なので厚みの異なる扉に対して取り付けを容易にできる。
【図面の簡単な説明】
【００２２】
【図１】本発明に係る施解錠装置を室内側から見た斜視図である。
【図２】図１に示した施解錠装置を室外側から見た斜視図である。
【図３】図１に示した施解錠装置の側面図である。
【図４】図３のＡ−Ａ矢視図である。
【図５】図１に示した施解錠装置の分解斜視図である。
【図６】図１に示した施解錠装置を扉側から見た斜視図である。
【図７】図１に示した上側駆動ユニット及びリーダーユニットの内部の一部分を透視した斜視図である。
【図８】図１に示した下側駆動ユニットの斜視図である。
【図９】図１に示した扉と異なる厚みの扉に取り付けられた施解錠装置の側面図である。
【図１０】他の実施形態に係るドアガード対応施解錠装置の斜視図である。
【図１１】図１０に示したドアガード対応施解錠装置を室外側から見た斜視図である。
【発明を実施するための形態】
【００２３】
以下、本発明に係る実施形態を図面を参照して説明する。
図１は本発明に係る施解錠装置を室内側から見た斜視図、図２は図１に示した施解錠装置を室外側から見た斜視図、図３は図１に示した施解錠装置の側面図、図４は図３のＡ−Ａ矢視図、図５は図１に示した施解錠装置の分解斜視図、図６は図１に示した施解錠装置を扉側から見た斜視図、図７は図１に示した上側駆動ユニット及びリーダーユニットの内部の一部分を透視した斜視図、図８は図１に示した下側駆動ユニットの斜視図である。
本発明に係る施解錠装置１１は、非電気錠タイプのプッシュプル錠を、電気錠タイプのプッシュプル錠へ変更する際に好適となる。本実施形態の施解錠装置１１を用いた場合、既存室外側グリップユニット１３及び錠箱はそのまま使用が可能となる。つまり、本実施形態の施解錠装置１１は、図示しない既存室内側グリップユニットと交換される。既存室外側グリップユニット１３にはシリンダー錠である図５に示す上側シリンダー錠１５、下側シリンダー錠１７が設けられ、これらは錠箱である図３に示す上側錠箱１９、下側錠箱２１にそれぞれ接続されている。
【００２４】
施解錠装置１１は、本体として扉室内面２３（図４参照）に取り付けられるグリップサムターンユニット２５を有する。グリップサムターンユニット２５は、室内側から扉２７を開放する際、台座２９に対しグリップ３１が押し込み方向に可動されることで、扉２７に内蔵された上側錠箱１９、下側錠箱２１のラッチボルトを錠箱内へ後退させ、扉２７を開放可能にする。これにより、扉２７の開放方向とラッチボルトの後退操作を一致させ、扉２７の良好な開放操作性を実現している。また、グリップサムターンユニット２５にはサムターンである上側サムターン３３、下側サムターン３５が設けられている。このように、グリップサムターンユニット２５は、上側サムターン３３、下側サムターン３５及びグリップ３１を備えて、上側シリンダー錠１５、下側シリンダー錠１７が接続されている既存の上側錠箱１９、下側錠箱２１に対して上側サムターン３３、下側サムターン３５からの施解錠操作力及びグリップ３１からのラッチ操作力を入力するようになっている。
【００２５】
グリップサムターンユニット２５の上下には、駆動ユニットである上側駆動ユニット３７と、下側駆動ユニット３９が一体に取り付けられている。ここで一方の上側駆動ユニット３７にはリーダーユニット４１が一体に固定され、リーダーユニット４１は扉２７を貫通して、扉室外面４３（図３参照）に表出する。このため、扉室外面４３には、リーダーユニット４１を表出させるためのリーダーユニット表出穴４５（図３参照）が現地工事にて開けられることになる。
【００２６】
グリップサムターンユニット２５には電池４７（図５参照）を収容する電池ボックス４９が一体に取り付けられ、電池ボックス４９は本実施形態では扉室内面２３に凹設される。このため、扉室内面２３には、電池ボックス４９を挿入するための電池ボックス挿入穴５１（図３参照）が現地工事にて開けられることになる。電池４７を収容した電池ボックス４９は蓋５３によって塞がれる。
【００２７】
上側サムターン３３と上側錠箱１９、下側サムターン３５と下側錠箱２１とは、それぞれがサムターン軸５５によって接続されている。上側駆動ユニット３７及び下側駆動ユニット３９にはそれぞれのサムターン軸５５を回転させるモーターである上側モーター５７、下側モーター５９が装備されている。
【００２８】
それぞれのサムターン軸５５には噛合部材６１（図６参照）が固定される。これに対し、上側駆動ユニット３７と下側駆動ユニット３９とには、噛合部材６１と噛合可能となり、上側モーター５７、下側モーター５９によって回転される図７，図８に示す出力歯車６３がそれぞれの上側駆動ユニット３７、下側駆動ユニット３９から露出されている。なお、上側モーター５７と出力歯車６３との間、下側モーター５９と出力歯車６３との間には、図示しないクラッチが介装される。クラッチは、施解錠の電気的動作と、手動動作とで、空回りを許容して、施錠状態または解錠状態の姿勢、例えば解錠状態で垂直縦姿勢、施錠状態で水平横姿勢等を保つ。
【００２９】
施解錠装置１１では、サムターンが、上側サムターン３３と下側サムターン３５との上下で設けられ、モーターが、上側サムターン３３を作動する上側モーター５７と下側サムターン３５を作動する下側モーター５９との上下で設けられ、図７に示す制御盤６５によって上側モーター５７及び下側モーター５９の双方が駆動制御されて上側サムターン３３及び下側サムターン３５が施解錠される。このように、グリップサムターンユニット２５に対して、上側駆動ユニット３７、下側駆動ユニット３９を取り付けることで、上側サムターン３３が上側モーター５７によって、下側サムターン３５が下側モーター５９によって容易に駆動できるようになっている。
【００３０】
図５に示すように、グリップサムターンユニット２５を扉室内面２３に取り付けるには、扉室内面２３に上下一対の取付板６７が固定される。取付板６７には上側サムターン３３、下側サムターン３５の各軸を貫通させる透孔６９が穿設される。また、取付板６７には既存室外側グリップユニット１３に突設された固定ネジ筒７１と一致する複数のネジ筒固定孔７３が穿設される。既存室外側グリップユニット１３は、扉室内面側からネジ筒固定孔７３に通された不図示のネジが固定ネジ筒７１に螺合されることで扉室外面４３に固定される。一方、グリップサムターンユニット２５は、取付板６７に起立するユニット固定片７５にネジ固定されて、扉室内面２３に固定される。
【００３１】
上側駆動ユニット３７には上記の制御盤６５が収容され、制御盤６５はリーダーユニット４１、上側モーター５７、下側モーター５９に接続される。また、上側駆動ユニット３７には制御盤６５に接続される施解錠ボタン７７が室内側に表出して設けられる。制御盤６５は、施解錠ボタン７７の押下に応じ、上側モーター５７、下側モーター５９を回転させ、サムターン軸５５を施錠または解錠方向へ回転可能としている。なお、この施解錠ボタン７７の近傍には、制御盤６５に接続され、施解錠状態を発光色によって明示するＬＥＤ標示部７９が設けられている。
【００３２】
グリップサムターンユニット２５には電池ボックス４９の側方に図６に示す配線空間８１が確保されている。この配線空間８１には給電用配線が配索される。施解錠装置１１では、電池ボックス４９と制御盤６５とが給電用配線（図示せず）によって接続され、制御盤６５と下側モーター５９とが制御用配線（図示せず）によって予め接続されることで、現地での電気配線工事が不要となっている。
【００３３】
施解錠装置１１では、扉２７の設けられた図４に示す扉枠８３に、グリップサムターンユニット２５と近接して被検知部材８５が取り付けられる。一方、グリップサムターンユニット２５に固定されて一体となった下側駆動ユニット３９には、被検知部材８５を検知することで閉扉を検知する図８に示す閉扉検知センサ８７が収容されている。この閉扉検知センサ８７は、制御用配線によって制御盤６５と接続される。なお、本実施形態では、閉扉検知センサ８７が下側駆動ユニット３９に設けられるが、閉扉検知センサ８７は、上側駆動ユニット３７またはグリップサムターンユニット２５に収容されてもよい。
【００３４】
また、施解錠装置１１は図５に示す表出穴隠しプレート８９を備える。表出穴隠しプレート８９は、扉室外面４３に穿設されたリーダーユニット表出穴４５とリーダーユニット４１との隙間を塞ぐ。表出穴隠しプレート８９は、扉室外面４３に平行なフランジ部９１と、フランジ部９１に垂直に設けられリーダーユニット表出穴４５に挿入されてリーダーユニット４１の外周を包囲しリーダーユニット４１の外形と略同形状の貫通穴部を備える塞ぎ枠部９３とを具備する。
【００３５】
次に、上記構成を有する施解錠装置１１の作用を説明する。
図９は図１に示した扉２７と異なる厚みの扉２７に取り付けられた施解錠装置１１の側面図である。
施解錠装置１１では、非電気錠を電気錠へ交換したい場合、既存室内側グリップユニットが取り外される。扉室内面２３及び扉室外面４３にはリーダーユニット４１を取り付けるためのリーダーユニット表出穴４５を貫通して開ける。また、本実施形態では、扉室内面２３には電池ボックス４９を凹設するための電池ボックス挿入穴５１を開ける。扉２７への加工はこれで終了する。
【００３６】
扉室内面２３には、リーダーユニット４１が一体となったグリップサムターンユニット２５が取り付けられる。グリップサムターンユニット２５から突出されている施解錠操作力入力用のサムターン軸５５、ラッチ操作力入力用の作動片（図示せず）は、既存室内側グリップユニットと同様に錠箱と接続される。基本的にここまでで電気錠への変更が完了する。
【００３７】
錠箱に接続される新規のサムターン軸５５はモーターによって回転可能となっており、モーターはリーダーユニット４１または施解錠ボタン７７から施解錠信号の入力された制御盤６５によって回転が制御される。グリップサムターンユニット２５には電池ボックス４９が設けられ、電池ボックス４９は制御盤６５、リーダーユニット４１、モーターと、予めグリップサムターンユニット２５の内方に配索される給電用配線によって接続が完了されているので、現地での配線工事は一切不要となる。
【００３８】
また、施解錠装置１１では、非電気錠と同様の構造部分であるサムターン軸５５に噛合部材６１を設け、この噛合部材６１に噛合する出力歯車６３を駆動ユニットに露出させて設けたので、既存錠箱をそのまま使用できる。従って、既存錠箱からモーター内蔵錠箱への交換を不要にして、簡単に電気錠化が可能となる。これにより、従来、錠箱に設けられていたモーターを、錠箱外で容易に設けることができるようになっている。
【００３９】
また、施解錠装置１１では、サムターンが複数の上側サムターン３３や下側サムターン３５となって増えても、グリップサムターンユニット２５に上側モーター５７、下側モーター５９が増設され、これらが給電用配線で予め接続される。これにより、防犯性を高めた複数シリンダー、複数サムターンを備える構造に対しても電気錠化を容易にできる。従って、上下にシリンダー錠及びサムターンが設けられる防犯性を高めた構成に対しても容易に対応できる。
【００４０】
また、閉扉検知センサ８７をグリップサムターンユニット２５に予め内蔵させておくことで、現地での閉扉検知センサ８７の取付工事、配線工事は、被検知部材８５の取り付け工事のみに半減する。扉２７への閉扉検知センサ８７の取付工事及び閉扉検知センサ８７と制御盤６５との配線工事を省略することができる。
【００４１】
さらに、異なる厚みの扉２７に対して、グリップサムターンユニット２５が扉室内面２３に取り付けられると、グリップサムターンユニット２５と一体となったリーダーユニット４１は、扉室外面４３との相対位置が変わる。すなわち、図３に示す厚みＤ１が小さい薄い扉２７ではリーダーユニット４１が扉室外面４３から突出配置し、図９に示す厚みＤ２が大きい厚い扉２７ではリーダーユニット４１が扉室外面４３と略同一面位置となる。扉厚によってこのように位置が変化するリーダーユニット４１であっても、リーダーユニット表出穴４５に取り付けられる表出穴隠しプレート８９に、扉厚方向に延在する塞ぎ枠部９３が設けられていることで、厚みの異なる扉２７に対しも、リーダーユニット表出穴４５に隙間を生じさせない対応が可能となる。これにより、塞ぎ枠部９３の範囲でリーダーユニット４１との相対位置が可変可能なので厚みの異なる扉２７に対して取り付けを容易にできる。
【００４２】
従って、本実施形態に係る施解錠装置１１によれば、組み立てを容易とし、扉への組み付け作業性、施工性を向上させることができる。また、交換部品を減らして、電気錠タイプへの変更に必要なコストを大幅に低減することができる。
【００４３】
次に、本発明に係る施解錠装置１１の他の実施形態について説明する。
図１０は他の実施形態に係るドアガード対応施解錠装置９５の斜視図、図１１は図１０に示したドアガード対応施解錠装置９５を室外側から見た斜視図である。なお、図１〜図９に示した部材・部位と同等の部材・部位には同一の符号を付して重複する説明は省略する。
本実施形態に係るドアガード対応施解錠装置９５は、上記した施解錠装置１１の駆動ユニットに対応する部分が、サムターンの側方に移動されて配置されている。施解錠ボタン７７は、サムターンの側方に配置される。電池ボックス４９の蓋５３もグリップ３１から外れた側方に配置され、電池４７の取り付け、取り出しが容易となっている。また、リーダーユニット４１は、上側シリンダー錠１５の側方に配置される。
【００４４】
このドアガード対応施解錠装置９５では、幅寸法Ｗは、上記の施解錠装置１１に比べて大きくなっている。一方、駆動ユニットが移動された分、サムターンよりも上方の寸法Ｈは小さくなっている。
【００４５】
従って、この変形例に係るドアガード対応施解錠装置９５によれば、既存の錠箱との接続によって上下方向の取り付け位置をずらすことができず、その結果、上方に配置されるドアガードに干渉する可能性がある場合であっても、サムターンよりも上方の寸法Ｈが小さいので、ドアガードに干渉する確率を低くすることができる。
【００４６】
なお、上記の実施形態では、モーターとして上側モーター５７と下側モーター５９との２つを用いたが、モーターを１つとして、機械的に上下のサムターン軸５５を回すものとしてもよい。このような機構とすればモーターが１個で済み、更なるコストの低減が可能となる。
【００４７】
また、上記の実施形態では、非電気錠を電気錠に交換する場合を例に示したが、本発明の施解錠装置はこれに限定されるものではなく、新規に電気錠を取り付ける場合にも適用可能であるのはいうまでもない。
【符号の説明】
【００４８】
１１…施解錠装置
１５…シリンダー錠（上側シリンダー錠）
１７…シリンダー錠（下側シリンダー錠）
１９…錠箱（上側錠箱）
２１…錠箱（下側錠箱）
２３…扉室内面
２５…グリップサムターンユニット
２７…扉
３１…グリップ
３３…サムターン（上側サムターン）
３５…サムターン（下側サムターン）
３７…駆動ユニット（上側駆動ユニット）
３９…駆動ユニット（下側駆動ユニット）
４１…リーダーユニット
４３…扉室外面
４５…リーダーユニット表出穴
４７…電池
４９…電池ボックス
５５…サムターン軸
５７…モーター（上側モーター）
５９…モーター（下側モーター）
６１…噛合部材
６３…出力歯車
６５…制御盤
７７…施解錠ボタン
８３…扉枠
８５…被検知部材
８７…閉扉検知センサ
８９…表出穴隠しプレート
９１…フランジ部
９３…塞ぎ枠部
【図１】
2014037746.tif 000003
【図２】
2014037746.tif 000004
【図３】
2014037746.tif 000005
【図４】
2014037746.tif 000006
【図５】
2014037746.tif 000007
【図６】
2014037746.tif 000008
【図７】
2014037746.tif 000009
【図８】
2014037746.tif 000010
【図９】
2014037746.tif 000011
【図１０】
2014037746.tif 000012
【図１１】
2014037746.tif 000013